(57)【要約】【課題】  二つの筐体（筐体１及び筐体２）で構成され、回路基板を前記筐体１及び前記筐体２で挟み込んで、ネジ等の締結部材で固定する場合、前記筐体１と前記筐体２、前記筐体１と前記回路基板、及び前記筐体２と前記回路基板、それぞれで精度良く位置決めする配置する事が求められる。【解決手段】  位置決め機構は少なくとも二つ以上の接触面を有し、前記回路基板及び前記筐体２は、それぞれ異なる前記接触面に接触することで、筐体１と位置決めする事を特徴とする電子制御装置。【選択図】  図１
2018188041.tif 000002
【特許請求の範囲】
【請求項１】
自動車に搭載される電子制御装置において、電子部品と、該電子部品を実装する回路基板と、該電子部品並びに該回路基板を内包する筐体と、を備え、
前記筐体は、前記回路基板が実装されるベースとカバーを有し、
前記ベースは、位置決め機構を有し、
前記位置決め機構は、回路基板用接触面とカバー用接触面とを備えており、
前記回路基板と前記カバーは、それぞれ異なる前記接触面に接触することで前記ベースと位置決めする事を特徴とする電子制御装置
【請求項２】
前記ベースは、前記位置決め機構を２つ備え、前記２つの位置決め機構は、一方の位置決め機構が備える接触面に対して、直角の位置に配置する請求項１に記載の電子制御装置
【請求項３】
前記回路基板用接触面とカバー用接触面は平行である請求項１または２に記載の電子制御装置
【請求項４】
前記ベース及び前記カバーは、前記回路基板を挟み込んで、且つ固定している請求項１乃至３の何れかに記載の電子制御装置
【請求項５】
前記ベースに対する前記カバーの固定方法は、加締め固定、接着部材、溶着固定、もしくはねじ固定の、いずれか、もしくは２つ以上を実施している請求項１乃至４の何れかに記載の電子制御装置
【請求項６】
前記ベースは複数のねじ穴を備え、少なくとも一箇所以上で、前記回路基板とねじ固定し、残りのねじ穴にて、前記カバーは前記回路基板を挟み込んで、ねじ固定している事を特徴とする請求項１乃至４の何れかに記載の電子制御装置
【請求項７】
前記回路基板は、前記ベースとの接触面において、GNDを取っている事を特徴とする請求項１乃至６の何れかに記載の電子制御装置
【発明の詳細な説明】
【技術分野】
【０００１】
本発明は、エンジンコントロールユニット、自動変速機用コントロールユニット及びバッテリーコントローラなどの自動車に搭載される電子制御装置の筐体構造に関するものである。
【背景技術】
【０００２】
車室内及びエンジンルーム等の車両に搭載されるエンジンコントロールユニット、自動変速機用コントロールユニット及びバッテリーコントローラなどの電子制御装置は、電子部品を実装した回路基板、前記回路基板に実装し外部コネクタと接続するコネクタ、及び前記回路基板を収容する筐体等で構成されている。前記回路基板と前記筐体を位置決めする方法として、例えば、特許文献１においては、筐体に凸部を設け、回路基板に実装したコネクタは外部コネクタを固定するコネクタハウジング部を備え、前記コネクタハウジング部は、前記コネクタハウジングの内側へ埋没する凹部を備え、前記凸部に前記凹部を挿入する事で位置決めを行う構造がある。
【先行技術文献】
【特許文献】
【０００３】
【特許文献１】特開２０１６−１０３３８２号公報
【発明の概要】
【発明が解決しようとする課題】
【０００４】
しかしながら、上記構造においては、筐体に対する回路基板の位置決めは、前記回路基板に実装したコネクタによって行われる。言い換えると、前記筐体に対して、前記回路基板は直接位置が決まらないために大きな位置ずれが発生する可能性があり、例えば、前記筐体に、前記回路基板をネジ等の締結部材で固定する際に、前期回路基板の位置ずれによりねじ固定出来ない可能性がある。
【０００５】
筐体が筐体１及び筐体２で構成され、前記回路基板を前記筐体１及び前記筐体２で挟み込んで、且つネジ等の締結部材で固定する場合、前記筐体１と前記筐体２、前記筐体１と前記回路基板、及び前記筐体２と前記回路基板、それぞれで精度良く位置決めする事が求められる。即ち、前記筐体１がねじ穴を有し、前記回路基板及び前記カバーは、前記ねじ穴と同軸となるような丸穴を備えている場合、前記ねじ穴が前記丸穴から見えるように位置精度を確保する必要がある。
【０００６】
前記筐体１に対する前記回路基板の位置決め、前記筐体１に対する前記筐体２の位置決めを、前記筐体１に設けた異なる位置決め機構にて行った場合、前記回路基板と前記筐体２は、異なる前記位置決め機構の位置ばらつき、寸法ばらつきに影響して大きく位置ずれする可能性があり、ひいては、製品の組付け不良に繋がる。
【課題を解決するための手段】
【０００７】
本発明は、電子部品、前記電子部品を搭載した回路基板、前記回路基板に搭載し、外部コネクタと接続するコネクタ、前記回路基板を収容する２つの筐体（筐体１及び筐体２）、とを備えた電子制御装置において、前記筐体１に少なくとも一つ以上の位置決め機構を設けて、各前記位置決め機構は、少なくとも二つ以上の接触面を有し、前記回路基板及び前記筐体２は、同一の前記位置決め機構が備える、異なる前記接触面に接触することで、筐体１と位置決めする事を特徴とする電子制御装置。
【発明の効果】
【０００８】
本発明によれば、前記筐体１に対する、前記筐体２及び前記回路基板を、同一の位置決め機構で、且つ前記位置基決め機構が備える、異なる接触面で接触することで、筐体１と回路基板、筐体１と筐体２、及び筐体２と回路基板を精度良く組み付けることができる。上記した以外の構造及び課題は、以下の実施形態の説明により明らかにされる。
【図面の簡単な説明】
【０００９】
【図１】本発明の第一の実施形態の電子制御装置の斜視図である。
【図２】本発明の第一の実施形態の電子制御装置の別方向からの斜視図である。
【図３】本発明の第二の実施形態の電子制御装置の斜視図である。
【図４】本発明の第二の実施形態の電子制御装置の別方向からの斜視図である。
【図５】本発明の第三の実施形態の電子制御装置の斜視図である。
【図６】本発明の第三の実施形態の電子制御装置の一部を示した断面図である。
【図７】本発明の第四の実施形態の電子制御装置の斜視図である。
【図８】本発明の第四の実施形態の電子制御装置の別方向からの斜視図である。
【発明を実施するための形態】
【００１０】
以下、本発明に係る構造の各実施形態を図面に基づいて詳述する。
【００１１】
[第一の実施形態]
図１及び図２は、本発明の第一の実施形態の構造を示す斜視図である。ベース１及びカバー２により、回路基板３を内含する筐体が形成される。ベース１及びカバー２は、回路基板３及び略記するが回路基板３に搭載する電子部品を外部環境から保護する役割を果たしている。ベース１及びカバー２はアルミ、鉄等の金属材料である事が望ましいが、金属材料以外の、例えば樹脂材料であっても良い。回路基板３は、外部コネクタと電気的に接続するコネクタ４を搭載している。コネクタ４は、樹脂材料から成るハウジング部４０及び金属材料から成る複数本の端子部４１で構成されており、端子部４１が前記外部コネクタの金属部と接触する事で電気的に接続する。ベース１は、ベース１に対してカバー２及び回路基板３の位置を決める為の位置決め凸形状１０及び位置決め曲げ形状１００を備えており、カバー２及び回路基板３の一部分が、位置決め凸形状１０及び位置決め曲げ形状１００に接触することで、ベース１との位置決めが決まる。
【００１２】
回路基板３は、基板凹形状３０及び基板凸形状Ｂ３００を備えている。基板凹形状３０にある基板接触面Ａ３１と位置決め凸形状１０にあるベース接触面Ａ１１が接触し、基板凸形状３００にある基板接触面Ｂ３０１と位置決め曲げ形状１００にあるベース接触面Ｂ１０１が接触する事で、ベース１に対する回路基板３の位置が決定する。回路基板３は位置決めされた後に、一部略記するが、４本の基板止めねじ５にて、ベース１とネジ固定される。
【００１３】
カバー２は一部曲げ形状となっており、カバー曲げ形状ＡＡ２０及びカバー曲げ形状ＢＢ２００を備えている。位置決め凸形状１０及び位置決め曲げ形状１００は、ベース接触面Ａ１１及びベース接触面Ｂ１０１とは異なる、ベース接触面ＡＡ１２及びベース接触面ＢＢ１０２を備えている。
【００１４】
カバー曲げ形状ＡＡ２０が備えるカバー接触面ＡＡ２２と、位置決め凸形状１０が備えるベース接触面ＡＡ１２が接触し、カバー曲げ形状ＢＢ２００が備えるカバー接触面ＢＢ２０２と位置決め凸形状１０が備えるベース接触面ＢＢ１０２とが接触することで、ベース１に対するカバー２の位置が決定する。カバー２の位置決め後、５本のカバー止めねじ６にて、カバー２が回路基板３を挟み込んだ状態で、ベース１と固定される。ねじ固定の際に、回路基板３のＧＮＤとベース１とを接続すると、電磁シールド効果により外来ノイズ影響を低減できる。
【００１５】
本実施例では、位置決め凸形状１０に回路基板用接触面であるベース接触面１１とカバー用接触面であるベース接触面１２を形成し、位置決め曲げ形状１００に回路基板用接触面であるベース接触面１０１とカバー用接触面であるベース接触面１０２を形成している。カバー２および回路基板３に対する位置決め機構を共通化することにより位置決めを精度よく行うことが可能となる。特に、ベース接触面１１とベース接触面１２を平行に、ベース接触面１０１とベース接触面１０２を平行に形成することで、位置決めを容易とすることが可能となる。ベース接触面１１とベース接触面１０１がなす角度は直角であるとなおよい。
【００１６】
ベース１に対するカバー２の位置決め、及びベース１に対する回路基板３位置決めを、ベース１に設けた同一の位置決め機構である、位置決め凸形状１０及び位置決め曲げ形状１００を以って行うことで、ベース１に対するカバー２の位置決め、及びベース１に対する回路基板３の位置決めを精度良く行う事が可能になり、ひいてはカバー２と回路基板３の位置精度も改善される事から、ベース１に対するカバー２の固定を、回路基板３を間に挟み込んだ状態で可能になる。換言すれば、組付け時の不良低減に繋がり、仕損費削減に繋がる。
【００１７】
位置決め凸形状１０、位置決め曲げ形状１００、カバー曲げ形状ＡＡ２０、カバー曲げ形状ＢＢ２００、基板凹形状３０、及び基板凸形状３００は、その趣旨を逸脱しない範囲で様々な形状が考えられる。例えば、位置決め凸形状１０は、半円、もしくは半球等の凸形状でも良く、位置決め凸形状１０と接触するカバー曲げ形状ＡＡ２０は、位置決め凸形状１０の形に合わせた凹形状、もしくは凸形状を採用しても良い。
【００１８】
[第二の実施形態]
図３及び図４は、本発明の第二の実施形態の構造を示す斜視図である。ベース１に対する回路基板３の位置決めは、位置決め凸形状１０が備えるベース接触面Ａ１１と基板凹形状３０が備える基板接触面Ａ３１、及びベース接触面Ｂ１０１と基板凸形状３００が備える基板接触面Ｂ３０１がそれぞれ接触することで行われる。また、ベース１に対するカバー２の位置決めは、位置決め凸形状１０が備えるベース接触面ＡＡ１２とカバー接触面ＡＡ２２、及びベース接触面Ｂ１０１とカバー接触面ＢＢ２０２がそれぞれ接触することで行われる。
【００１９】
ベース１に対する回路基板３の位置決め、及びベース１に対するカバー２の位置決めとして、同一接触面となるベース接触面Ｂ１０１を用いる事で、更なる位置決め精度の向上に繋がる。
【００２０】
[第三の実施形態]
図５及び図６は、本発明の第三の実施形態の構造を示す斜視図である。尚、第二の実施形態と同様の構成の説明を省略している。ベース１へのカバー２の固定を、加締め部５０で行っている構造である。ベース１に対する回路基板３の位置決めは、ベース１と回路基板３がベース−回路基板接触面６０で互いに接触する事で行われる。ベース１に対するカバー２の位置決めは、ベース１とカバー２がベース−カバー接触面Ａ７０、及びベース−カバー接触面Ｂ７１で互いに接触する事で行われる。尚、ベース−回路基板接触面６０及びベース−カバー接触面Ａ７０はどちらも位置決め凸形状１０上に備わっている。
【００２１】
加締め部５０の形状については、その趣旨を逸脱しない範囲で様々な形状、位置及び位置数が考えられる。例えば、カバー２の材質が樹脂材料の場合、熱で溶着して加締める事で固定する構造を採用しても良い。
【００２２】
[第四の実施形態]
図７及び図８は、本発明の第四の実施形態の構造を示す斜視図である。尚、第二の実施形態と同様の構成の説明を省略している。ベース１に設置した位置決め凸形状１０が、ベース接触面Ｂ１０１に対して斜めに配置された構造である。ベース１に対するカバー２の位置決め、及びベース１に対する回路基板３の位置決めは２方向に設ける事が望ましいが、前記２方向の関係は直角方向に限定する必要は無く、図７のように、一方の位置決め方向に対して斜め方向に設けても良い。
【００２３】
尚、本発明は上記した実施形態に限定されるものではなく、様々な変形例が含まれている。例えば、上述した実施形態は本発明を分かりやすく説明する為に詳細に説明したものであり、必ずしも説明した全ての構成を備えるものに限定されるものではない。また、ある実施形態の構成の一部を他の実施形態の構成に置き換えることは可能であり、また、ある実施形態の構成に他の実施形態の構成を付け加えることも可能である。また、他実施形態の構成の一部について、他の構成の追加・削除・置換をすることは可能である。例えば、ベース、カバー形状、及び位置決め機構の形状・数は様々な形状を採用することができる。
【符号の説明】
【００２４】
１：ベース
２：カバー
３：回路基板
４：コネクタ
５：基板止めねじ
６：カバー止めねじ
１０：位置決め凸形状
１１：ベース接触面Ａ
１２：ベース接触面ＡＡ
２０：カバー曲げ形状ＡＡ
２２：カバー接触面ＡＡ
３０：基板凹形状
３１：基板接触面Ａ
４０：ハウジング部
４１：端子部
５０：加締め部
６０：ベース−回路基板接触面
７０：ベース−カバー接触面Ａ
７１：ベース−カバー接触面Ｂ
１００：位置決め曲げ形状
１０１：ベース接触面Ｂ
１０２：ベース接触面ＢＢ
２００：カバー曲げ形状ＢＢ
２０２：カバー接触面ＢＢ
３００：基板凸形状
３０１：基板接触面Ｂ
【図１】
2018188041.tif 000003
【図２】
2018188041.tif 000004
【図３】
2018188041.tif 000005
【図４】
2018188041.tif 000006
【図５】
2018188041.tif 000007
【図６】
2018188041.tif 000008
【図７】
2018188041.tif 000009
【図８】
2018188041.tif 000010